(57)【要約】【課題】吊り替え作業に際しての作業性の向上を図ること。【解決手段】油入変圧器のタンクケース表面において油がにじみ出している箇所２１０を発見した場合には、油がにじみ出している箇所２１０に固形石鹸２３１を塗布し、固形石鹸２３１が塗布された油がにじみ出している箇所２１０を絶縁電線補修用カバーを用いて封止するようにした。このように、油入変圧器１００のタンクケース１０３の表面ににじみ出した油を固形石鹸２３１に含まれる水酸化ナトリウムによって凝固させ、凝固した油を絶縁電線補修用カバーによって封止しておくことにより、漏油の進行を遅延させることができる。【選択図】図２−３
2011009646.tif 000002
【特許請求の範囲】
【請求項１】
油入機器の表面において油がにじみ出している箇所に脂肪酸塩を塗布する塗布工程と、
前記塗布工程において前記脂肪酸塩が塗布された箇所を、絶縁性および耐油性を有する材料を用いて形成された封止部材を用いて封止する封止工程と、
を含んだことを特徴とする漏油防止方法。
【請求項２】
前記塗布工程は、油と水と強アルカリ性物質とを用いて形成された固形石鹸を前記脂肪酸塩として用いることを特徴とする請求項１に記載の漏油防止方法。
【請求項３】
前記封止工程は、シート形状からなる封止部材を用いることを特徴とする請求項１または２に記載の漏油防止方法。
【請求項４】
前記封止工程は、絶縁電線補修用カバーを用いることを特徴とする請求項１〜３のいずれか一つに記載の漏油防止方法。
【請求項５】
前記封止工程は、防水性を有する材料によって形成された封止部材を用いることを特徴とする請求項１〜４のいずれか一つに記載の漏油防止方法。
【請求項６】
前記封止工程は、紫外線を遮断する性質を有する材料によって形成された封止部材を用いることを特徴とする請求項１〜５のいずれか一つに記載の漏油防止方法。
【発明の詳細な説明】
【技術分野】
【０００１】
この発明は、油入機器における漏油の発生に起因する漏油事故を防止する漏油防止方法に関する。
【背景技術】
【０００２】
変圧器やバランサ本体（小型油入変圧器）などの油入機器においては、電圧のかかっているコイルや絶縁物を効率的に冷やすために使用される絶縁油などの油が、油入機器外箱（タンクケース）内に封入されている。このような油入機器は、屋外に設置されることが多く、雨や強風などにさらされているために油入機器外箱（タンクケース）に赤錆や黒錆などが発錆することがある。
【０００３】
油入機器外箱における発錆は、経時にともなって進行し、油入機器外箱の経時劣化を促進する一因となっている。発錆によって経時劣化した油入機器外箱においては、油入機器外箱に孔があいたり亀裂が生じたりして、油入機器外箱内に封入された油が外部へ漏れる、いわゆる漏油が発生しやすくなる。
【０００４】
油入機器には、絶縁性の高い油が封入されており、漏油によって油入機器における油量が減少した場合には、油入機器において絶縁破壊などの事故（以下「漏油事故」という）の発生が危惧される。また、油入機器に封入された油は、たとえばＰＣＢ（ｐｏｌｙｃｈｌｏｒｉｎａｔｅｄ  ｂｉｐｈｅｎｙｌ：ポリ塩化ビフェニル）など、生体に対する毒性が高い物質を含んでいる場合があり、漏油が発生した場合は環境に対して悪影響をおよぼすことが懸念され、漏油対策は重要な課題とされている。
【０００５】
油入機器においては、油入機器外箱からの漏油が深刻化する前に、油入機器外箱に油がにじみ出してくる、いわゆる油のにじみが発生する。このため、従来から定期的に油入機器を点検して、油入機器外箱の外観および、油のにじみ発生の有無を判断し、油のにじみが発生している油入機器を順次新しい油入機器に取り替える（吊り替える）ことによって漏油事故の発生防止につとめている。油入機器の吊り替えをおこなうかどうかは、油入機器の点検をおこなう作業者が所定の取替基準にしたがって判断している。
【０００６】
油入機器の吊り替え作業に際しては、漏油事故の発生を防止するために、吸着マットなどの油を吸収する部材を用いて、油入機器から油を回収する漏油回収作業をおこなっている。漏油が発生した場合は早急な対策が必要であるため、吊り替えを専門におこなう業者などに委託せず、油入機器の設置元となる電力会社などの直営工事によって、漏油回収作業および油入機器の吊り替え作業をおこなっている。漏油回収作業に際しては、複数人の作業者が必要であり、該当する施設における停電をともなう。
【０００７】
従来、金属における防錆を図ることを目的とした各種の技術があった（たとえば、下記特許文献１、２を参照。）。油入機器においては、このような防錆技術を適用し、油入機器外箱に防錆加工を施すことによって、油入機器外箱における発錆を防止し、発錆に起因する漏油の発生を防止するための対策が講じられている。
【先行技術文献】
【特許文献】
【０００８】
【特許文献１】特開昭５２−１１４４４５号公報
【特許文献２】特開昭５４−４５６４３号公報
【発明の概要】
【発明が解決しようとする課題】
【０００９】
しかしながら、上述した従来の技術では、油入機器が屋外に設置されているため、風雨や紫外線による油入機器の経時劣化は避けられず、油入機器外箱における発錆を完全に防ぐことは困難であった。このため、現状では、発錆などの経時劣化に起因する漏油を防止することは難しい。
【００１０】
漏油が発生した場合は、経時により劣化が進行するため、漏油回収作業をともなう吊り替え作業が必須となる。従来、漏油回収作業に際しては、油入機器の周囲のコンクリートを剥がし、吸着マットを用いて油入機器から油を回収する。このため、漏油回収作業をともなう吊り替え作業は、吊り替え作業のみをおこなう場合と比較して煩雑であり作業者にかかる作業負担が大きいという問題があった。
【００１１】
また、従来、漏油回収作業をともなう吊り替え作業は、漏油を回収するために油入機器から油を回収するための吸着マットの消費をともなう。このため、吊り替え作業のみをおこなう場合と比較して、吊り替え作業が完了するまでにかかる時間やコストが増大してしまうという問題があった。
【００１２】
また、従来、吊り替え作業に際しては複数の作業者が必要となる。このため、漏油の発生を発見した場合に、その場で対策を講じることができず、漏油の発生を知りながら漏油を進行させてしまうという問題があった。また、漏油が発生した状況では、吊り替え作業を迅速におこなう必要があるが、作業が大がかりであるため作業準備が整うまでに時間がかかり、従来の方法では漏油の発生を発見してから対策が完了するまでに時間がかかるという問題があった。
【００１３】
また、このような緊急の吊り替え作業は、通常は専門の業者などに委託している業務を直営工事によりおこなうため、従来の方法では吊り替え作業における作業効率が低いという問題があった。また、吊り替え作業に際しては停電をともなうが、急な停電に対する顧客の理解を得ることが難しい。停電時間は極力短時間であることが好ましいが、従来の方法では作業効率が低いために吊り替え作業が完了するまでに時間を要し、停電時間が長くなってしまうという問題があった。
【００１４】
また、油入機器における漏油状況が深刻化している場合は、漏油回収作業をともなう吊り替え作業を、事前に立てた業務計画に組み入れることが難しく、他の業務に優先させておこなわざるを得ない場合があった。このため、従来の方法では、他の業務に優先させて吊り替え作業をおこなうことによって、他の業務が滞ってしまうという問題があった。
【００１５】
また、電力設備の普及により油入機器の台数は膨大となっており、すべての油入機器に対して、漏油の発見から対策を完了するまでを迅速におこなうことは現実的には難しい。このため、吊り替え作業に際しては、漏油状況の深刻さなどにしたがって吊り替え作業をおこなう油入機器の優先順位が必要とされるが、従来の方法では、所定の取替基準が示されてはいるものの、油入機器の取り替え（吊り替え）に対する緊急度の判断は、当該判断をおこなう担当者の経験の差によってばらつきがある。このため、従来の方法では、吊り替えをおこなう油入機器の優先順位があいまいであり、油入機器によっては漏油状況が深刻化してしまうことが危惧される。
【００１６】
この発明は、上述した従来技術による問題点を解消するため、吊り替え作業に際しての作業性の向上を図ることができる漏油防止方法を提供することを目的とする。
【課題を解決するための手段】
【００１７】
上述した課題を解決し、目的を達成するため、この発明にかかる漏油防止方法は、油入機器の表面において油がにじみ出している箇所に脂肪酸塩を塗布する塗布工程と、前記塗布工程において前記脂肪酸塩が塗布された箇所を、絶縁性および耐油性を有する材料を用いて形成された封止部材を用いて封止する封止工程と、を含んだことを特徴とする。
【００１８】
この発明によれば、油入機器の表面ににじみ出した油を脂肪酸塩によって凝固させ、凝固した油を封止部材によって封止しておくことにより、漏油の進行を遅延させることができる。
【００１９】
また、この発明によれば、上記の応急処置を、作業者が１人でおこなうことができる。これによって、油がにじみ出している箇所を発見した場合に、直ちに応急処置をおこなうことができ、漏油の進行を確実に遅延させることができる。
【００２０】
このように、漏油の進行を遅延させることにより、漏油状況が深刻化する前に、油入機器の吊り替え作業の体勢を整え、油入機器の吊り替え作業を計画的におこなうことができる。
【００２１】
また、この発明にかかる漏油防止方法は、上記の発明において、前記塗布工程が、油と水と強アルカリ性物質とを用いて形成された固形石鹸を前記脂肪酸塩として用いることを特徴とする。
【００２２】
この発明によれば、広く普及しており、容易に入手することができる固形石鹸を用いて、油入機器の表面ににじみ出した油を凝固させることができる。これによって、油がにじみ出している箇所を発見した場合に、直ちに応急処置をおこなうことができ、漏油の進行を確実に遅延させることができる。
【００２３】
また、この発明にかかる漏油防止方法は、上記の発明において、前記封止工程が、シート形状からなる封止部材を用いることを特徴とする。
【００２４】
この発明によれば、油入機器外箱の形状に左右されることなく、油入機器外箱において油がにじみ出した箇所を確実に覆うことができる。これによって、漏油の進行を確実に遅延させることができる。
【００２５】
また、この発明にかかる漏油防止方法は、上記の発明において、前記封止工程が、絶縁電線補修用カバーを用いることを特徴とする。
【００２６】
この発明によれば、電線の補修作業などに際して用いられている、汎用的な絶縁電線補修用カバーを用いて、油がにじみ出した箇所を覆うことができる。これによって、油がにじみ出している箇所を発見した場合に、直ちに応急処置をおこなうことができ、漏油の進行を確実に遅延させることができる。
【００２７】
また、この発明にかかる漏油防止方法は、上記の発明において、前記封止工程が、防水性を有する材料によって形成された封止部材を用いることを特徴とする。
【００２８】
この発明によれば、応急処置の後に、空気中の水分や雨水によって漏油が進行することを防止することができる。これによって、漏油の進行を確実に遅延させることができる。
【００２９】
また、この発明にかかる漏油防止方法は、上記の発明において、前記封止工程が、紫外線を遮断する性質を有する材料によって形成された封止部材を用いることを特徴とする。
【００３０】
この発明によれば、応急処置の後に、太陽光などに含まれる紫外線によって、油入機器外箱における油がにじみ出した箇所の劣化が進行することを防止することができる。これによって、漏油の進行を確実に遅延させることができる。
【発明の効果】
【００３１】
この発明にかかる漏油防止方法によれば、油入機器の吊り替え作業を計画的におこなうことができるので、吊り替え作業に際しての作業性の向上を図ることができるという効果を奏する。
【図面の簡単な説明】
【００３２】
【図１】油入変圧器の一例を示す説明図である。
【図２−１】この発明にかかる実施の形態の補修手順を示す説明図（その１）である。
【図２−２】この発明にかかる実施の形態の補修手順を示す説明図（その２）である。
【図２−３】この発明にかかる実施の形態の補修手順を示す説明図（その３）である。
【図２−４】この発明にかかる実施の形態の補修手順を示す説明図（その４）である。
【図２−５】この発明にかかる実施の形態の補修手順を示す説明図（その５）である。
【図２−６】この発明にかかる実施の形態の補修手順を示す説明図（その６）である。
【図２−７】この発明にかかる実施の形態の補修手順を示す説明図（その７）である。
【図２−８】この発明にかかる実施の形態の補修手順を示す説明図（その８）である。
【図２−９】この発明にかかる実施の形態の補修手順を示す説明図（その９）である。
【発明を実施するための形態】
【００３３】
以下に添付図面を参照して、この発明にかかる漏油防止方法の好適な実施の形態を詳細に説明する。この実施の形態においては、油入機器として油入変圧器に対する漏油対策について説明する。
【００３４】
まず、油入変圧器について説明する。この発明にかかる実施の形態の漏油防止方法にしたがっておこなう補修作業の対象となる油入変圧器は、たとえば電柱などの高所に設置して使用される柱上変圧器とすることができる。柱上変圧器は、架空配電線路において、電柱に金属製の固定具（装柱金物）を介して取り付けられている。
【００３５】
また、補修作業の対象となる油入変圧器は、自動電圧調整器（ＳＶＲ：Ｓｔｅｐ  Ｖｏｌｔａｇｅ  Ｒｅｇｕｌａｔｏｒ）であってもよい。自動電圧調整器は、柱上変圧器のタップで対応できない電圧降下に対して、高圧配電線路の電圧を補償するために用いられ、高圧配電線路の途中に設置し、線路の電圧降下を補正する。さらに、補修作業の対象となる油入変圧器は、地上に設置して使用される地上設置変圧器であってもよい。
【００３６】
図１は、油入変圧器の一例を示す説明図である。図１において、油入変圧器１００は、油入機器を実現し、油入変圧器本体１０１と外装品とからなる。油入変圧器本体１０１は、油入機器外箱としてのタンクケース１０３を備えている。タンクケース１０３は、円筒形、小判形、角形など、公知の各種の形状のものを用いることができる。
【００３７】
タンクケース１０３は、鋼板を用いて製造されている。具体的には、タンクケース１０３は、たとえば冷間圧延鋼板（ＳＰＣＣ）や熱間圧延軟鋼板（ＳＰＨＣ）などを用いて製造されている。冷間圧延鋼板（ＳＰＣＣ）は加工性に優れており、表面が滑らかになるなど美観に優れたタンクケース１０３を製造することができる。熱間圧延軟鋼板（ＳＰＨＣ）を用いることにより、冷間圧延鋼板（ＳＰＣＣ）を用いた場合と比較してタンクケース１０３を安価に製造することができる。
【００３８】
タンクケース１０３の上面には、高圧ブッシング１０４、低圧ブッシング１０５、コンサベータ１０６などが設けられている。高圧ブッシング１０４は、油入変圧器１００の一次側端子に接続される。高圧ブッシング１０４には、高圧ブッシング１０４の端子部を保護するために絶縁する高圧絶縁キャップが設けられていてもよい。低圧ブッシング１０５は、変圧器の二次側端子に接続される。
【００３９】
高圧ブッシング１０４および低圧ブッシング１０５は、タンクケース１０３の上面を貫通するように設けられた孔に嵌め込まれるようにして設けられている。高圧ブッシング１０４および低圧ブッシング１０５は、タンクケース１０３の上面に設けられた孔に嵌め込まれ、電線をタンクケース１０３内に通すための通路を備え、電線とタンクケース１０３とを絶縁する。また、高圧ブッシング１０４および低圧ブッシング１０５は、タンクケース１０３の上面に設けられた孔を密閉するシール機能を備え、電線を支持固定する。
【００４０】
コンサベータ１０６は、タンクケース１０３内に封入された油（絶縁油）の温度による変化量を吸収する装置であり、タンクケース１０３内に封入された油と空気との接触を断ち、油入変圧器１００の絶縁油の劣化を防止する。コンサベータ１０６においては、たとえば油入変圧器１００の容量が大きい場合、柔軟で耐油性があり、透気度の低いゴム製の袋や隔膜が取り付けられていてもよい。
【００４１】
コンサベータ１０６は、継電器１０７などを介して、タンクケース１０３に接続されている。継電器１０７は、コンサベータ１０６の状態に応じて、制御用の電気信号を出力する装置であり、たとえば電流や電圧の急激な変化からコンサベータ１０６における電気回路を保護するために設けられている。
【００４２】
タンクケース１０３の側方には、ラジエータ１０８が設けられている。ラジエータ１０８は、タンクケース１０３内に設けられた高圧巻線や低圧巻線などを冷却するために設けられており、たとえば冷却用の放熱板ひだ（図２−１における符号２０１を参照）を備えた構成とすることができる。ラジエータ１０８において、冷却用の放熱板ひだは、たとえば山形に成形した鋼鈑をタンクケース１０３に溶接した構成、リブ（フィン）式ラジエータとすることができる。
【００４３】
また、ラジエータ１０８は、たとえばパネル式ラジエータを用いることができる。パネル式ラジエータは、たとえば油ダクトを形どった鋼鈑を、内部に油が通るように二枚重ねてシーム溶接した構成とすることができる。また、パネル式ラジエータは、断面が櫛状になるように成形し上下の端面をスクイズ加工溶接した鋼鈑を、タンクケース１０３の側面部分に溶接して取り付けた構成であってもよい。
【００４４】
タンクケース１０３内には、鉄心１０９および巻線（高圧巻線および低圧巻線）１１０が設けられている。鉄心１０９と巻線１１０との位置関係は、たとえば鉄心１０９の周りに低圧巻線を配置し、低圧巻線の周りに高圧巻線を配置した内鉄形とすることができる。また鉄心１０９と巻線１１０の位置関係は、巻線の周りに鉄心１０９を配置した外鉄形であってもよい。
【００４５】
タンクケース１０３の内側に封入された油は、粘性が低く、熱に対する安定性や電気絶縁性が高く、耐薬品性に優れていることが好ましい。タンクケース１０３の内側に封入された油は、油入変圧器１００において一般的に用いられる油を用いることができ、具体的には、たとえばシリコーン油や鉱油などを用いることができる。
【００４６】
つぎに、この発明にかかる実施の形態の補修手順について説明する。この発明にかかる実施の形態の漏油防止方法にしたがった補修作業は、油入変圧器１００において、油がにじみ出している箇所を発見した場合におこなう。この発明にかかる実施の形態の漏油防止方法にしたがった補修作業に際しては、脂肪酸塩と、絶縁電線補修用カバーと、耐水性の粘着テープと、を用いる。
【００４７】
脂肪酸塩は、脂肪酸とアルカリとの塩であり、石鹸の化学物質名称として知られている。脂肪酸は、親油性の炭化水素に親水性のカルボキシル基が結合した構造をしている。石桍は、高級脂肪酸の塩の総称であり、脂肪酸塩を多く含んでいる。高級脂肪酸における「高級」は、石鹸を構成する分子における炭素の数が６個以上であることを示す化学的な名称に由来する。石鹸は、界面活性剤であり、水になじみやすい部分（親水基）と、油になじみやすい部分（親油基・疎水基）とを、分子内に有し、両親媒性を示す。
【００４８】
石鹸は、油と水と強アルカリ性物質とを用いて製造されている。工業的に製造された石鹸においては、たとえば動植物の油脂が油として用いられている。石鹸の製造に用いる強アルカリ性物質としては、水酸化ナトリウムあるいは水酸化カリウムが用いられている。水酸化ナトリウムを用いて製造した石鹸は固形石鹸となり、水酸化カリウムを用いて製造した石鹸は液体石鹸となる。この実施の形態の補修作業に際しては、水酸化ナトリウムを用いて製造した固形石鹸を用いる。固形石鹸は、分割してビニール袋などにいれて持ち運ぶことができるため、可搬性に優れている。
【００４９】
製品としての石鹸は、炭酸塩や香料などが加えられていることも多いが、この実施の形態の補修作業に際しては、脂肪酸ナトリウムのみで、添加物を含まない純石鹸を用いることが好ましい。
【００５０】
図２−１、図２−２、図２−３、図２−４、図２−５、図２−６、図２−７、図２−８および図２−９は、この発明にかかる実施の形態の補修手順を示す説明図である。図２−１、図２−２、図２−３、図２−４、図２−５、図２−６、図２−７、図２−８および図２−９においては、この発明にかかる実施の形態の漏油防止方法にしたがって補修作業をおこなう場合の補修手順および補修作業対象箇所を示している。補修作業対象箇所は、たとえばラジエータの放熱板ひだ２０１とすることができる。
【００５１】
図２−１、図２−２、図２−３、図２−４、図２−５、図２−６、図２−７、図２−８および図２−９において、この発明にかかる実施の形態の補修手順は、まず、タンクケース１０３が劣化し、当該タンクケース１０３の表面に油がにじみ出している箇所２１０を発見する（図２−１を参照）。油がにじみ出している箇所２１０は、たとえば定期的におこなう油入変圧器１００の点検作業に際して発見することができる。図２−１においては、放熱板ひだ２０１において油がにじみ出している状態を示している。
【００５２】
油がにじみ出している箇所２１０を発見した場合は、油がにじみ出している箇所２１０の周囲を清掃する（図２−２を参照）。清掃は、たとえばウエス２２１などを用いて、油がにじみ出している箇所２１０の周囲のごみや汚れを拭き取ることによっておこなう。清掃に際しては、補修作業に際して用いるテープなどの粘着剤を、油入変圧器１００に貼り付けることが出来る程度に、ごみや汚れを取り除く。
【００５３】
つぎに、油がにじみ出している箇所２１０に脂肪酸塩を塗布する。この発明にかかる実施の形態の補修に際しては、脂肪酸塩として、固形石鹸２３１を用いる。固形石鹸２３１は、油がにじみ出している箇所２１０におけるタンクケース１０３の損傷の程度に応じて、タンクケース１０３の損傷の程度が低い場合には固形石鹸２３１を直接こすりつけて塗布することができる（図２−３を参照）。
【００５４】
タンクケース１０３の損傷の程度が高く、油がにじみ出している箇所２１０に塗布できる程度に石鹸を押しつけるとタンクケース１０３の損傷程度が悪化する（孔があいてしまう）ような場合は、ナイフやヘラなどの道具２４１を用いて固形石鹸２３１をくずし、粉状あるいは小さなかけら状にした固形石鹸２５１を、手の指などによって塗りこむように塗布する（図２−４および図２−５を参照）。
【００５５】
固形石鹸２３１の量は、油がにじみ出している箇所２１０の全体に塗布する（図２−６を参照）。油がにじみ出している箇所２１０に塗布する固形石鹸２３１の量は、にじみ出ている油の量に応じて調整する。にじみ出ている油の量が少ない場合、固形石鹸２３１の量は少量でよい。にじみ出ている油の量が多く、一見して油がにじみ出している箇所２１０の有無が判別できるような場合は、塗布する固形石鹸２３１の量を多くする。
【００５６】
石鹸は、界面活性剤であり、水になじみやすい部分（親水基）と、油になじみやすい部分（親油基・疎水基）と分子内に有する両親媒性の物質であるため、油がにじみ出している箇所２１０に固形石鹸２３１を塗布することにより、油がにじみ出している箇所２１０に塗布した固形石鹸２３１は、にじみ出た油に溶解する。
【００５７】
油がにじみ出している箇所２１０においては、タンクケース１０３の表面に油が浮き出た状態であるため、固形石鹸２３１を塗布することによって、塗布した固形石鹸２３１が溶解する。これにより、油がにじみ出している箇所２１０に固形石鹸２３１をこすり付ける作業をおこなうだけで、塗布した固形石鹸２３１をタンクケース１０３の表面に定着させることができる。
【００５８】
また、油がにじみ出している箇所２１０に固形石鹸２３１をこすり付ける作業をおこなうだけで、塗布した固形石鹸２３１をタンクケース１０３の表面に定着させることができるので、たとえば柱上変圧器が設置された電柱の上など安定した広い足場を確保することが困難な場所で作業する場合にも、塗布する作業を容易におこなうことができる。
【００５９】
また、油がにじみ出している箇所２１０に固形石鹸２３１をこすり付ける作業をおこなうだけで、塗布した固形石鹸２３１をタンクケース１０３の表面に定着させることができるので、電柱の上などの高所に水を携帯することなく、固形石鹸２３１を容易に塗布することができる。
【００６０】
にじみ出た油に固形石鹸２３１を塗布し、油と石鹸とを混ぜ合わせることによって、にじみ出た油を水酸化ナトリウムの作用によって固形化させることができる。固形化の程度は、にじみ出ている油の量に左右され、塗布した固形石鹸２３１の量に対してにじみ出ている油の量が多い場合、塗布した固形石鹸２３１はゲル状（半固体状）になる。
【００６１】
また、固形石鹸２３１は両親媒性の物質であるため、油などの汚れを洗浄することができる。このため、固形石鹸２３１を塗布する際は、油がにじみ出している箇所２１０および油がにじみ出している箇所２１０の周囲に固形石鹸２３１を塗布し、油がにじみ出している箇所２１０の周囲に塗布した固形石鹸２３１を拭き取ることによって上記の清掃をおこなってもよい。この場合は、にじみ出ている油を広げるように塗布するのではなく、少量の水を用いて固形石鹸２３１を塗布することが好ましい。
【００６２】
つぎに、固形石鹸２３１を塗布した油がにじみ出している箇所２１０を、封止部材２７１によって覆う（図２−７、図２−８を参照）。封止部材２７１は、絶縁性および耐油性を有する材料によって形成されていることが好ましい。また、封止部材２７１は、防水性、紫外線に対する耐性（耐候性）に優れた材料を用いて形成されていることが好ましい。
【００６３】
また、封止部材２７１は、シート状の形状からなることが好ましい。封止部材２７１の形状をシート状とすることにより、タンクケース１０３の表面形状にあわせて封止部材２７１を変形させることができる。これにより、油がにじみ出している箇所２１０の形状にかかわらず、油がにじみ出している箇所２１０を確実に覆うことができる。
【００６４】
また、封止部材２７１は、折り曲げあるいは湾曲することが可能な弾性を有していることが好ましい。封止部材２７１を、弾性を有する材料によってシート状の形状に形成することにより、油がにじみ出している箇所２１０の形状に沿って変形させることができ、油がにじみ出している箇所２１０を確実に覆うことができる。
【００６５】
封止部材２７１としては、具体的には、たとえば絶縁電線補修用カバーを用いることができる。絶縁電線補修用カバーは、電線の補修に際して補修箇所を保護するために用いられており、ゴム、シリコーン、ポリエチレン樹脂など公知の各種の材料を用いて形成することができる。電線の補修など、油がにじみ出している箇所２１０の補修とは別の作業に用いる部材を転用することによって、作業者が電柱などの高所あるいは作業におもむく車中に携帯する荷物を減らすことができる。
【００６６】
つぎに、油がにじみ出している箇所２１０を覆った封止部材２７１を、タンクケース１０３に固定する。封止部材２７１は、たとえばテーピング部材２９１を用いて、タンクケース１０３に貼り付けることによって固定することができる（図２−９を参照）。テーピング部材２９１を用いて封止部材２７１を固定する場合、封止部材２７１の周縁部を囲むようにしてテーピング部材２９１を貼り付け、封止部材２７１とタンクケース１０３との間の隙間を埋めるようにして固定する。これにより、油がにじみ出している箇所２１０は、タンクケース１０３の表面と封止部材２７１とによって形成される空間内に密封された状態となる。
【００６７】
テーピング部材２９１は、防水性を有していることが好ましい。また、テーピング部材２９１は、紫外線に対する耐性（耐候性）に優れた材料を用いて形成されていることが好ましい。さらに、テーピング部材２９１は、耐熱性など、屋外に曝露された場合に要求される各種耐性に優れた材料を用いて形成されていることが好ましい。
【００６８】
具体的には、たとえばアクリル樹脂製やポリエチレン樹脂製のフィルムに、アクリル系粘着剤を塗布したテーピング部材２９１などを用いることができる。これにより、耐候性、防水性、耐熱性に優れたテーピング部材２９１ができる。耐候性や耐水性など各種の要求性能に優れたテーピング部材２９１については、公知の各種技術を用いて容易に実現可能であるため、説明を省略する。
【００６９】
このような補修作業をおこなうことにより、油入変圧器１００の表面ににじみ出した油を、固形石鹸２３１と混ぜ合わせることによって凝固させ、凝固させた状態の油を封止部材２７１によって封止しておくことができる。これによって、油入変圧器１００の表面ににじみ出した油が、油入変圧器１００の表面を伝って広がっていくことを防止し、にじみ出した位置にとどめておくことができる。このようにして、油入変圧器１００の表面ににじみ出した油を、にじみ出した位置にとどめておくことにより、漏油の進行を遅延させることができる。
【００７０】
にじみ出した油の量が経時にともなって増加した場合、にじみ出した油の量に対して、油がにじみ出している箇所２１０に塗布した固形石鹸２３１に含まれる水酸化ナトリウムの量が相対的に減少する。そして、にじみ出した油の量が経時にともなって増加し、にじみ出した油の量に対する、油がにじみ出している箇所２１０に塗布した固形石鹸２３１に含まれる水酸化ナトリウムの相対的な量が所定量以下になった場合、油がにじみ出している箇所２１０において一旦凝固した油の粘度がふたたび低下する。
【００７１】
この実施の形態の漏油防止方法においては、油がにじみ出している箇所２１０に塗布した固形石鹸２３１を、耐油性を有する封止部材２７１によって覆っているため、にじみ出した油の量が経時にともなって増加することによりにじみ出た粘度が低下して流動性が高くなった場合にも、にじみ出た油が油入変圧器１００の表面を伝って広がったり、したたり落ちたりすることを防止することができる。これによって、漏油の進行を遅延させることができる。
【００７２】
このように、深刻な漏油までは至らず、油入変圧器１００の表面に油がにじみ出ている状態であれば、この実施の形態の補修手順にしたがって補修作業をおこなうことにより、漏油の進行を遅延させる応急処置をおこなうことができる。そして、このような応急処置をおこなうことによって、漏油状況が深刻化するまでの猶予時間を確保することができる。
【００７３】
漏油状況が深刻化するまでの猶予時間を確保することによって、漏油状況が深刻化する前に、油入変圧器１００の吊り替え作業の体勢を整えることができる。作業体勢が整った状態で油入変圧器１００の吊り替え作業をおこなうことにより、油入変圧器１００の吊り替え作業を計画的かつ効率よくおこなうことができる。これにより、油入変圧器１００の吊り替え作業に際しての作業性の向上を図ることができる。
【００７４】
漏油が発生した油入変圧器１００が、電柱に設けられた柱上変圧器である場合、油入変圧器１００に対して作業をおこなう作業者は、電柱に取り付けた仮設の台や高所作業車のバケットの中など、足場が限られた状態で作業をおこなわなくてはならない。
【００７５】
この実施の形態の漏油防止方法によれば、柱上に固形石鹸２３１、油がにじみ出している箇所２１０を覆うことができる大きさの絶縁電線補修用カバー、およびテーピング部材２９１を携帯するだけで補修作業をおこなうことができる。これによって、極力身軽な状態で補修作業をおこなうことができるので、作業者の安全の向上を図ることができる。また、携帯する道具類が少ないことにより、作業環境が雑然とし、作業効率が低下することを防止することができる。
【００７６】
また、この実施の形態の補修手順にしたがった補修作業は、油がにじみ出している箇所２１０に固形石鹸２３１を塗布し、絶縁電線補修用カバーをテーピング部材２９１で油入変圧器１００に貼り付けるだけの作業でよいので、漏油の進行を遅延させる応急処置を作業者が１人でおこなうことができる。これによって、油のにじみ出しを発見した場合に、直ちに応急処置をおこなうことができる。
【００７７】
油がにじみ出している箇所２１０に対する応急処置を迅速におこなうことにより、漏油の進行を確実に遅延させることができる。これにより、漏油状況が深刻化するまでの猶予時間をより多く確保することができ、油入変圧器１００の吊り替え作業や作業にかかわる作業者の吊り替え作業以外の業務を計画的かつ効率よくおこなうことができる。
【００７８】
以上説明したように、この実施の形態の漏油防止方法は、油入変圧器１００のタンクケース１０３表面において油がにじみ出している箇所２１０に固形石鹸２３１を塗布し、固形石鹸２３１が塗布された箇所を絶縁電線補修用カバーを用いて封止することを特徴としている。これにより、この実施の形態の漏油防止方法によれば、油入変圧器１００のタンクケース１０３の表面ににじみ出した油を固形石鹸２３１に含まれる水酸化ナトリウムによって凝固させ、凝固した油を絶縁電線補修用カバーによって封止しておくことにより、漏油の進行を遅延させることができる。
【００７９】
また、この実施の形態の漏油防止方法によれば、漏油の進行を遅延させる応急処置を、作業者が１人でおこなうことができる。これによって、油のにじみ出しを発見した場合に、直ちに応急処置をおこなうことができ、劣化が少ない状態で応急処置をおこなうことによって漏油の進行を確実に遅延させることができる。
【００８０】
このように、この実施の形態の漏油防止方法によれば、漏油の進行を遅延させることができるので、漏油状況が深刻化する前に、油入変圧器１００の吊り替え作業の体勢を整え、油入変圧器１００の吊り替え作業を計画的におこなうことができる。そして、油入変圧器１００の吊り替え作業を計画的におこなうことにより、吊り替え作業に際しての作業性の向上を図ることができる。
【００８１】
また、油入変圧器１００の吊り替え作業を計画的におこなうことにより、吊り替え作業にともなって停電が発生することを、電力の供給をうける顧客に対して事前に周知させることができる。これによって、電力の供給をうける顧客が停電に対する体勢を整えることができるので、停電がやむを得ない吊り替え作業においても、停電に対する顧客の理解が得やすく、吊り替え作業を計画的かつスムーズにおこなうことができる。そして、これによって、電力の供給を受ける顧客の、電力供給状態および電力供給会社に対する満足度の向上を図ることができる。
【００８２】
また、漏油の進行を遅延させることにより、電力の供給系統の切り替えなどの、停電にともなう各種の調整を適切におこなうことができる。これによって、安定した電力供給をおこなうことができる。そして、これによって、電力の供給を受ける顧客の、電力供給状態および電力供給会社に対する満足度の向上を図ることができる。
【００８３】
また、この実施の形態の漏油防止方法によれば、漏油状況が深刻化する前に、油入変圧器１００の吊り替え作業をおこなうことができるので、漏油回収作業を不要とすることができる。これによって、従来の漏油回収作業のように、油入変圧器１００の周囲のコンクリートを剥がし、吸着マットを用いて油入変圧器１００から油を回収するという煩雑かつコストのかかる作業負担から作業者を解放し、吊り替え作業にかかわる作業者の負担を軽減することができる。
【００８４】
また、この実施の形態の漏油防止方法によれば、劣化した油入変圧器１００の吊り替え作業を計画的におこなうことができるので、吊り替え作業の予定を、吊り替え作業以外の業務の計画に組み込んで、吊り替え作業を含む業務全体を計画的におこなうことができる。これによって、漏油による被害軽減のために吊り替え作業を最優先にしたり、完全に漏油してしまった場合の事後処理をおこなったりするために、予定外の時間が割かれ、吊り替え作業以外の業務が滞ることを防止でき、業務全体を効率よくおこなうことができる。
【００８５】
また、この実施の形態の漏油防止方法によれば、漏油の進行を確実に遅延させることができるので、設置台数が多いために、漏油を発見してから直ちに吊り替え作業をおこなうことが難しい場合や、吊り替え作業の緊急度の判断が作業者ごとにばらついた場合にも、各油入変圧器１００における漏油状況が深刻化する前に吊り替え作業を完了することができる。
【００８６】
また、この実施の形態の漏油防止方法は、油と水と強アルカリ性物質とを用いて形成された固形石鹸２３１を塗布することを特徴としている。この実施の形態の漏油防止方法によれば、広く普及しており、容易に入手することができる固形石鹸２３１を用いて、油入変圧器１００の表面ににじみ出した油を凝固させることができる。
【００８７】
これによって、油がにじみ出している箇所２１０を発見した場合に、直ちに応急処置をおこなうことができ、劣化の程度が低いうちに応急処置をおこなうことによって、漏油の進行を確実に遅延させることができる。
【００８８】
また、この実施の形態の漏油防止方法は、シート形状からなる封止部材２７１を用いて油がにじみ出している箇所２１０を覆うことを特徴としている。この実施の形態の漏油防止方法によれば、タンクケース１０３の形状に左右されることなく、当該タンクケース１０３において油がにじみ出している箇所２１０を確実に覆うことができる。これによって、油がにじみ出している箇所２１０に空気中の湿気や紫外線が作用して、タンクケース１０３の劣化が進むことによる、漏油の進行を確実に遅延させることができる。
【００８９】
また、この実施の形態の漏油防止方法は、封止部材２７１として、絶縁電線補修用カバーを用いて油がにじみ出している箇所２１０を覆うことを特徴としている。この実施の形態の漏油防止方法によれば、電線の補修作業などに際して用いられている、汎用的な絶縁電線補修用カバーを用いて、油がにじみ出している箇所２１０を覆うことができる。これによって、封止部材２７１の準備に手間取ることなく、油がにじみ出している箇所２１０を発見した場合に、直ちに応急処置をおこなうことができ、漏油の進行を確実に遅延させることができる。
【００９０】
また、この実施の形態の漏油防止方法は、防水性を有する材料によって形成された封止部材２７１を用いて油がにじみ出している箇所２１０を覆うことを特徴としている。この実施の形態の漏油防止方法によれば、応急処置の後に、空気中の水分や雨水によって漏油が進行することを防止することができる。これによって、漏油の進行を確実に遅延させることができる。
【００９１】
また、この実施の形態の漏油防止方法は、紫外線を遮断する性質を有する材料によって形成された封止部材２７１を用いて油がにじみ出している箇所２１０を覆うことを特徴としている。この実施の形態の漏油防止方法によれば、応急処置の後に、太陽光などに含まれる紫外線によって、タンクケース１０３の表面において油がにじみ出している箇所２１０の劣化が進行することを防止することができる。これによって、漏油の進行を確実に遅延させることができる。
【００９２】
このように、この実施の形態の漏油防止方法は、油がにじみ出している油入変圧器１００に対して、漏油の進行を遅延させることができるので、漏油状況が深刻化する前に、油入変圧器１００の吊り替え作業の体勢を整え、吊り替え作業に際しての作業性の向上を図ることができる。
【産業上の利用可能性】
【００９３】
以上のように、この発明にかかる漏油防止方法は、油入機器における漏油の発生に起因する漏油事故を防止する漏油防止方法に有用であり、特に、油のにじみ出しが発生した油入機器における漏油事故を防止する漏油防止方法に適している。
【符号の説明】
【００９４】
１００  油入変圧器
２１０  油がにじみ出している箇所
２３１  固形石鹸
２７１  封止部材
【図１】
2011009646.tif 000003
【図２−１】
2011009646.tif 000004
【図２−２】
2011009646.tif 000005
【図２−３】
2011009646.tif 000006
【図２−４】
2011009646.tif 000007
【図２−５】
2011009646.tif 000008
【図２−６】
2011009646.tif 000009
【図２−７】
2011009646.tif 000010
【図２−８】
2011009646.tif 000011
【図２−９】
2011009646.tif 000012